(57)【要約】【課題】    連動機構の構造が簡単化でき、部品点数が削減できて低コスト化を促進させることが可能で、連動動作を安定させることができ、操作性にも優れた建具を提供すること。【解決手段】障子１０Ｂにおける縦框（召合せ框）１３の摺動部材１８にローラー１８Ｄが設けられ、このローラー１８Ｄが障子１０Ａの少なくとも上框１１と上枠３の上レール３Ｂとに当接して転動することで、２枚の障子１０Ａ，１０Ｂが連動して開閉移動されるので、簡単な構造で連動機構２０を構成することができ、部品点数を削減して製造コストを低減することができる。ガタが全くなく見込み方向にずれることのない上レール３Ｂにローラー１８Ｄが当接して転動することで、ローラー１８Ｄと上レール３Ｂおよび障子１０Ａの上辺部とのずれ量を小さくすることができ、２枚の障子１０Ａ，１０Ｂを円滑に連動させて良好な操作性を確保することができる。【選択図】  図６
2007040015.tif 000002
【特許請求の範囲】
【請求項１】
枠体と、この枠体にスライド開閉自在に支持された少なくとも２枚の障子とを備え、前記少なくとも２枚の障子のうちの第１の障子と第２の障子とが連動して開閉される建具であって、
前記枠体の上枠には、前記第１および第２の障子を各々案内する案内部が当該上枠の長手方向に沿って形成され、
前記第１および第２の障子は、それぞれ上下框および左右縦框からなる框材と、これらを四周框組みした内部に嵌め込まれた面材とを有し、前記縦框のうちの召合せ框同士が見込み方向に重なって閉鎖される閉鎖位置から、各々同一方向に開移動され当該第１の障子と第２の障子とが見込み方向に略重なって開放される開放位置まで開閉移動可能に構成され、かつ前記各縦框の上端には、各々開閉移動時に前記上枠の前記各案内部に沿って案内される摺動部材が取り付けられ、
前記閉鎖位置にて開移動方向側に位置する第２の障子における前記召合せ框上端の前記摺動部材には、前記第１の障子の少なくとも上框と前記第２の障子を案内する上枠の案内部とに当接しかつ前記第１の障子の開閉移動に伴って転動する転動部材が設けられ、この転動部材を介して前記第２の障子が前記第１の障子の移動に連動して開閉される建具。
【請求項２】
前記転動部材は、その転動面が弾性材料で形成されたローラーであり、
前記転動部材が当接する前記第１の障子の少なくとも上框および前記第２の障子を案内する上枠の案内部には、所定の摩擦係数を有した被当接部材が取り付けられている請求項１に記載の建具。
【請求項３】
前記転動部材は、その転動面に凹凸が形成された歯車であり、
前記転動部材が当接する前記第１の障子の少なくとも上框および前記第２の障子を案内する上枠の案内部には、前記歯車と噛み合う凹凸を有した噛合部材が取り付けられている請求項１に記載の建具。
【請求項４】
前記第１の障子には、当該第１の障子の上框を前記第２の障子に向かって押圧する押圧手段が設けられている請求項１から請求項３のいずれかに記載の建具。
【請求項５】
前記押圧手段は、前記第１の障子に取り付けられた前記摺動部材に設けられ、この摺動部材を案内する前記上枠の案内部に当接して転動するサブローラーを有して構成されている請求項４に記載の建具。
【請求項６】
前記押圧手段は、前記第１の障子の上框に少なくとも１箇所設けられ、当該第１の障子の摺動部材を案内する前記上枠の案内部に当接する当接部材を有して構成されている請求項４または請求項５に記載の建具。
【請求項７】
前記枠体は、前記少なくとも２枚の障子を各々案内するレールが上面に形成された下枠を有し、
前記少なくとも２枚の障子の下框または縦框の下端部には、それぞれ前記レールに案内される戸車が設けられている請求項１から請求項６のいずれかに記載の建具。
【請求項８】
前記少なくとも２枚の障子の上框または縦框の上端部には、それぞれ戸車が設けられ、
前記枠体の上枠には、前記戸車を案内しかつ前記少なくとも２枚の障子を各々吊り下げ支持する吊下支持部が形成されている請求項１から請求項６のいずれかに記載の建具。
【発明の詳細な説明】
【技術分野】
【０００１】
本発明は、建具に関し、詳しくは、２枚の障子が連動して開閉する建具に関する。
【背景技術】
【０００２】
出入口等に用いられる建具として、見込み方向に隣接して設けられた３枚の戸（障子）を備え、そのうち２枚の戸が連動して開閉する連動三連式引き戸が知られている（例えば、特許文献１参照）。
特許文献１の引き戸は、３枚の戸のうち見込み方向中間に位置する第２の戸の上面両端に設けられた２つの歯車と、これらの歯車に懸け渡された無端帯状体（ベルトやチェーン）と、見込み方向両側の第１および第３の戸に設けられて無端帯状体と噛み合うラックとを有して構成されている。そして、第１の戸を固定した状態で、第３の戸を開閉操作することで、第３の戸のラックを介して無端帯状体および歯車が回転するとともに、第１の戸のラックに噛み合った無端帯状体を介して第２の戸に開閉力が伝達されて、第２の戸が第１の戸と同一方向かつ半分の開閉速度で連動開閉されるようになっている。
【０００３】
【特許文献１】特開平９−１５１６６８号公報
【発明の開示】
【発明が解決しようとする課題】
【０００４】
しかしながら、特許文献１のような従来の連動三連式引き戸では、２つの歯車、無端帯状体およびラックを介して３枚の戸を連動させているため、連動機構が複雑になり部品点数が増大してしまうため、低コスト化が困難であるという問題がある。さらに、２つの歯車および無端帯状体が第２の戸の上面に取り付けられており、この第２の戸における高さ寸法や上端部（上框等）の構造が第１および第３の戸と異なってしまうため、戸自体やその構成部材を共通化することができず、この点でも低コスト化が困難になってしまう。
また、従来の連動三連式引き戸では、第２の戸に設けられた無端帯状体が第１および第３の戸のラックに噛み合う構造となっているため、レールに支持された第１および第３の戸がガタにより見込み方向にずれると、ラックとの噛み合いが外れて無端帯状体が空回りし、第１および第２の戸が円滑に連動せず、操作性が悪くなってしまうという問題もある。
【０００５】
本発明の目的は、連動機構の構造が簡単化でき、部品点数が削減できて低コスト化を促進させることが可能で、連動動作を安定させることができ、操作性にも優れた建具を提供することにある。
【課題を解決するための手段】
【０００６】
本発明の建具は、枠体と、この枠体にスライド開閉自在に支持された少なくとも２枚の障子とを備え、前記少なくとも２枚の障子のうちの第１の障子と第２の障子とが連動して開閉される建具であって、前記枠体の上枠には、前記第１および第２の障子を各々案内する案内部が当該上枠の長手方向に沿って形成され、前記第１および第２の障子は、それぞれ上下框および左右縦框からなる框材と、これらを四周框組みした内部に嵌め込まれた面材とを有し、前記縦框のうちの召合せ框同士が見込み方向に重なって閉鎖される閉鎖位置から、各々同一方向に開移動され当該第１の障子と第２の障子とが見込み方向に略重なって開放される開放位置まで開閉移動可能に構成され、かつ前記各縦框の上端には、各々開閉移動時に前記上枠の前記各案内部に沿って案内される摺動部材が取り付けられ、前記閉鎖位置にて開移動方向側に位置する第２の障子における前記召合せ框上端の前記摺動部材には、前記第１の障子の少なくとも上框と前記第２の障子を案内する上枠の案内部とに当接しかつ前記第１の障子の開閉移動に伴って転動する転動部材が設けられ、この転動部材を介して前記第２の障子が前記第１の障子の移動に連動して開閉されることを特徴とする。
【０００７】
ここで、本発明の建具は、第１および第２の障子に加えて第３の障子を有した三連引き戸や窓として構成されていてもよく、この場合には、枠体に固定された第３の障子の見込み方向に略重なって第１および第２の障子が開放されるような構成が採用可能である。この際、第２の障子が３枚のうちの中間に位置する中障子となり、第１の障子が閉鎖状態で第３の障子（固定障子）の反対側（戸先側）に位置する可動障子となる。
また、第３の障子に限らず、枠体に固定された壁体（面状体）に略重なって第１および第２の障子が開放されてもよく、また枠体に設けられた戸袋に収納されて第１および第２の障子が開放されるような構成でもよい。この際、第２の障子が閉鎖状態で壁体や戸袋側に位置する障子となり、第１の障子が壁体や戸袋の反対側（戸先側）の障子となる。
【０００８】
このような本発明によれば、第２の障子における召合せ框の摺動部材に転動部材を設け、この転動部材が第１の障子と上枠の案内部とに当接して転動することで、２枚の障子が連動して開閉移動されるので、従来のように複雑な構造を採用する必要がなく、簡単な構造で部品点数を削減でき、低コストで製造することができる。さらに、転動部材を摺動部材に設けたことで、第２の障子の上框を特殊な構造にしたり、特殊な加工を施したりする必要がなく、第１の障子や第３の障子、あるいは他の引き違い形式や片引き形式の建具における障子と、框材の部品を共通化することができ、より一層低コスト化を促進させることができる。また、第２の障子における召合せ框の見込み面よりも外側に転動部材が位置するように摺動部材を形成すれば、上框の位置を下げて第２の障子の高さ寸法を第１の障子よりも低くしたり、召合せ框の上端を切断したりすることなく転動部材が配置可能となり、第１および第２の障子の高さ寸法を同一にすることができ、障子自体を共通化することができる。
【０００９】
また、転動部材が第１の障子の少なくとも上框と第２の障子を案内する上枠の案内部とに当接して転動するように構成されているので、少なくとも上枠の案内部側にはガタが全くなく、見込み方向にずれることがないため、従来のように３枚の戸が各々がたつく場合と比較して、転動部材と案内部および第１の障子とのずれ量を小さくすることができる。さらに、摺動部材は、そもそも案内部を見込み方向両側から挟むことで障子のがたつきを防止する部材であり、この摺動部材に転動部材を設けたことで、転動部材位置におけるずれ量をより一層小さくすることができる。従って、転動部材を案内部および第１の障子に確実に当接させることができ、第１および第２の障子を円滑に連動させて良好な操作性を確保することができる。
さらに、転動部材を摺動部材に設けたことで、第２の障子における左右の縦框のいずれか一方に摺動部材を取り付けるだけで、開き勝手を左右反転した勝手違いの建具に対応でき、摺動部材自体の共通化も図ることができる。
【００１０】
この際、本発明の建具では、前記転動部材は、その転動面が弾性材料で形成されたローラーであり、前記転動部材が当接する前記第１の障子の少なくとも上框および前記第２の障子を案内する上枠の案内部には、所定の摩擦係数を有した被当接部材が取り付けられていることが好ましい。
このような構成によれば、転動面が弾性材料で形成されたローラーを被当接部材に押圧して若干変形させた状態で当接させることで、より一層確実に当接状態を維持することができる。そして、被当接部材との間に所定の摩擦力を生じさせることで、ローラーと被当接部材との滑りが防止でき、障子の開閉操作がより円滑にできる。
また、歯車、無端帯状体およびラックを介した従来の連動引き戸においては、障子を強引に開閉操作するなど連動機構に過負荷が掛かった場合、連動機構が破損して開閉操作できなくなるが、本発明の転動部材では、転動部材と被当接部材とに所定の摩擦力以上の負荷が掛かるような開閉操作が行われても、転動部材が被当接部材に対して滑るだけで破損することがなく、連動開閉しないものの開閉操作は可能である。また、その後の開閉操作により閉鎖位置または開放位置まで第１および第２の障子を移動すれば、再度連動開閉が可能となり、初期の性能を回復することができる。
また、被当接部材が第１の障子の少なくとも上框および第２の障子を案内する上枠の案内部に取り付けられるので、障子の框材や枠体の上枠自体に加工を施す必要がなく、部品の共通化を図ることができるとともに、勝手違いの建具においても被当接部材の取付位置を変更するだけで容易に対応することができる。
【００１１】
また、本発明の建具では、前記転動部材は、その転動面に凹凸が形成された歯車であり、前記転動部材が当接する前記第１の障子の少なくとも上框および前記第２の障子を案内する上枠の案内部には、歯車と噛み合う凹凸を有した噛合部材が取り付けられていてもよい。
このような構成によれば、転動部材と噛合部材とが噛み合う、つまり噛合部材がラックとして機能し、転動部材がピニオンとして機能する（ラック＆ピニオン）ことで、滑りを防止して障子の開閉操作がより円滑にできる。また、噛合部材が第１の障子の少なくとも上框および第２の障子を案内する上枠の案内部に取り付けられるので、障子の框材や枠体の上枠自体に凹凸加工を施す必要がなく、部品の共通化を図ることができるとともに、勝手違いの建具においても噛合部材の取付位置を変更するだけで容易に対応することができる。
【００１２】
さらに、本発明の建具では、前記第１の障子には、当該第１の障子の上框を前記第２の障子に向かって押圧する押圧手段が設けられていることが好ましい。
この際、前記押圧手段は、前記第１の障子に取り付けられた前記摺動部材に設けられ、この摺動部材を案内する前記上枠の案内部に当接して転動するサブローラーを有して構成されたものが採用可能である。
また、前記押圧手段は、前記第１の障子の上框に少なくとも１箇所設けられ、当該第１の障子の摺動部材を案内する前記上枠の案内部に当接する当接部材を有して構成されたものでもよい。
ここで、押圧手段としては、サブローラーと当接部材とを併用してもよく、いずれか一方のみを用いてもよい。
このような構成によれば、押圧手段であるサブローラーや当接部材によって、第１の障子の摺動部材や上框が第２の障子側、つまり転動部材に向かって押圧されるので、転動部材と第１の障子の上框や縦框の上端部との当接状態を良好に維持することができる。
【００１３】
さらに、本発明の建具では、前記枠体は、前記少なくとも２枚の障子を各々案内するレールが上面に形成された下枠を有し、前記少なくとも２枚の障子の下框または縦框の下端部には、それぞれ前記レールに案内される戸車が設けられたものが採用可能である。
また、前記少なくとも２枚の障子の上框または縦框の上端部には、それぞれ戸車が設けられ、前記枠体の上枠には、前記戸車を案内しかつ前記少なくとも２枚の障子を各々吊り下げ支持する吊下げ支持部が形成されていてもよい。
このような構成によれば、障子の下部に戸車が設けられて下枠のレールに支持される下支持形式の建具、または障子の上部に戸車が設けられて上枠の吊下げ支持部に支持される上吊り形式の建具のいずれにおいても、上述したような作用効果を得ることができる。
【発明を実施するための最良の形態】
【００１４】
以下、本発明の実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００１５】
〔第１実施形態〕
本発明の第１実施形態に係る建具である浴室出入口用建具について説明する。
図１は、本実施形態の浴室出入口用建具１を示す縦断面図である。図２および図３は、それぞれ浴室出入口用建具１の横断面図であり、図２には、閉鎖状態が示され、図３には、開放状態が示されている。図４および図５は、それぞれ浴室出入口用建具１における障子を示す斜視図であり、図４には、閉鎖状態の障子が示され、図５には、開放状態の障子が示されている。
【００１６】
図１〜図５において、浴室出入口用建具１は、ユニットバス等の浴室の出入口開口部に設けられて浴室と脱衣室とを仕切るもので、枠体としての建具枠２と、この建具枠２内に支持された３枚の障子１０（１０Ａ，１０Ｂ，１０Ｃ）とを備えた連動三連式建具である。
建具枠２は、上枠３、下枠４、および左右の縦枠５を四周枠組みして構成されており、上枠３および縦枠５は、それぞれアルミ押出形材製の部材であり、下枠４は、それぞれアルミ押出形材製の下枠本体４Ａと、この下枠本体４Ａ上に載置された下枠上面部材４Ｂとで構成されている。そして、下枠上面部材４Ｂの上面には３本の下レール４Ｃが形成されており、これら３本の下レール４Ｃで３枚の障子１０を支持するように構成されている。一方、上枠３には、下方に突出して各障子１０の上部を案内する案内部としての３つの上レール３Ａ，３Ｂ，３Ｃが、上枠３の長手方向に沿って連続して形成されている。
【００１７】
３枚の障子１０は、それぞれアルミ押出形材製の上框１１、下框１２、および左右の縦框１３，１４と、これらを四周枠組みした内部にガラス製や樹脂製の面材１５を組み込んで形成されている。３枚の障子１０の下框１２には、下枠４の下レール４Ｃに支持される戸車１２Ａが設けられ、縦框１３，１４の上端には、後述する摺動部材１６，１７，１８が取り付けられている。そして、３枚の障子１０のうち、第１の障子である浴室側の障子（戸先障子）１０Ａと、この障子１０Ａに隣接する第２の障子である障子（中障子）１０Ｂとは、戸車１２Ａが下枠４の下レール４Ｃに案内され、摺動部材１６，１７，１８が上枠３の上レール３Ａ，３Ｂに案内されて建具枠２内をスライド開閉可能に支持された可動障子とされている。また、脱衣室側の障子（第３の障子）１０Ｃは、その縦框（戸尻框）１４が縦枠５に固定された固定障子とされている。そして、障子１０Ａの一方（図２、３中、左側）の縦框（戸先框）１３には、浴室側および脱衣室側の両面にハンドル１３Ａが取り付けられ、このハンドル１３Ａを引いて障子１０Ａの開閉操作が実施できるようになっている。
【００１８】
以上の３枚の障子１０は、図２および図４に示すように、障子１０Ａの一方の縦框（戸先框）１３が縦枠５に当接するとともに、障子１０Ａの他方（図２、３中、右側）の縦框（召合せ框）１４と障子１０Ｂの一方の縦框（召合せ框）１３とが見込み方向に重なり、障子１０Ｂの他方の縦框（召合せ框）１４と障子１０Ｃの一方の縦框（召合せ框）１３とが見込み方向に重なって閉じるようになっている（閉鎖状態）。そして、ハンドル１３Ａを引いて障子１０Ａを開方向（図中、右側）にスライドさせることで、障子１０Ｂも連動して同一方向にスライド移動し、図３および図５に示すように、３枚の障子１０Ａ，１０Ｂ，１０Ｃが見込み方向に略重なって開くようになっている（開放状態）。さらに、障子１０Ａを閉方向（図中、左側）にスライドさせることで、障子１０Ｂも連動して同一方向にスライド移動し、３枚の障子１０が閉じるようになっている。
このように、障子１０Ｂを障子１０Ａの開閉移動に連動させる連動機構２０が、障子１０Ａ，１０Ｂ上部と上枠３との間に設けられている。
【００１９】
以下、連動機構２０について、図６〜図１１も参照して説明する。
図６および図７は、浴室出入口用建具１の上部を拡大して示す縦断面図および横断面図である。図８〜図１０ (Ａ)，(Ｂ)は、それぞれ障子１０の縦框１３，１４上端に取り付けられる摺動部材１６，１７，１８を示す斜視図および平面図である。図１１(Ａ)，(Ｂ)は、障子１０Ａの上框１１に取り付けられる当接部材を示す側面図である。
【００２０】
摺動部材１６，１７，１８は、それぞれ障子１０の縦框１３，１４上端に挿入して取り付けられる樹脂製の部材であって、摺動部材１６は、障子１０Ａの縦框（戸先框）１３および障子１０Ｃの縦框（戸先框）１４に取り付けられ、摺動部材１７は、障子１０Ａおよび障子１０Ｂの縦框（召合せ框）１４、障子１０Ｃの縦框（召合せ框）１３に取り付けられ、摺動部材１８は、障子１０Ｂの縦框（召合せ框）１３に取り付けられている。これらの摺動部材１６，１７，１８は、それぞれ上方に開口した凹溝状の被案内部１６Ａ，１７Ａ，１８Ａを有し、この被案内部１６Ａ，１７Ａ，１８Ａで上枠３の上レール３Ａ，３Ｂ，３Ｃを見込み方向両側から挟むことで、建具枠２に対して障子１０のがたつきを防止するものである。
【００２１】
摺動部材１８には、障子１０Ｂの縦框１３の見込み面から側方に突出する突出部１８Ｃが一体に形成されるとともに、この突出部１８Ｃの上側に支持されて鉛直軸回りに水平回転可能なローラー（転動部材）１８Ｄが設けられている。このローラー１８Ｄは、障子１０Ａの上辺部である上框１１および縦框１３，１４上端部の脱衣室側側面に当接可能、かつ上レール３Ｂの浴室側側面に当接可能に構成されており、この当接面がゴム等の弾性材料から形成されている。ここで、図示を省略するが、ローラー１８Ｄと当接する上框１１の脱衣室側側面および上レール３Ｂの浴室側側面には、ゴムシート等の所定の摩擦係数を有した被当接部材が張り付けられていてもよい。
以上のような、ローラー１８Ｄ、障子１０Ａの上辺部、および上レール３Ｂによって連動機構２０が構成されており、障子１０Ａの開閉操作に伴い障子１０Ａの上辺部に沿ってローラー１８Ｄが転動し、この回転したローラー１８Ｄが上レール３Ｂに沿って転動することで、障子１０Ｂも連動して障子１０Ａの半分の速度で開閉移動するようになっている。
【００２２】
一方、摺動部材１６，１７には、それぞれ上レール３Ａ，３Ｂ，３Ｃの側面に当接して転動する押圧手段としてのサブローラー１６Ｂ，１７Ｂが設けられている。そして、障子１０Ａにおいてサブローラー１６Ｂ，１７Ｂが上レール３Ａの脱衣室側側面を押圧することで、障子１０Ａの上辺部（縦框１３，１４上端部）が脱衣室側に付勢されるようになっている。
さらに、図１１に示すように、障子１０Ａの上框１１には、上レール３Ａの脱衣室側側面に当接して押圧する押圧手段としての当接部材１９が設けられている。この当接部材１９は、上框１１にビス止め固定される支持部１９Ａと、この支持部１９Ａから上方に延びるとともに上レール３Ａ側に折れ曲がった当接部１９Ｂとを有して形成された樹脂製一体部材であって、上框１１の長手方向略中央の１箇所、または上框１１を長手方向に等分した２箇所以上に取り付けられている。このような当接部材１９が、上レール３Ａの脱衣室側側面を押圧することで、障子１０Ａの上辺部（上框１１）が脱衣室側に付勢されるようになっている。
以上のようなサブローラー１６Ｂ，１７Ｂおよび当接部材１９からなる押圧手段によって、障子１０Ａの上辺部が脱衣室側に付勢されることで、障子１０Ａの上辺部とローラー１８Ｄとが押圧され、およびローラー１８Ｄと上レール３Ｂとが押圧され、これらの間の摩擦力が確保されてローラー１８Ｄの空転（滑り）が防止できるようになっている。
【００２３】
以上の浴室出入口用建具１では、障子１０Ａの縦框（戸先框）１３と、障子１０Ｃの縦框（戸先框）１４とが同一断面を有した共通部材から構成され、障子１０Ａの縦框（召合せ框）１４と、障子１０Ｂの左右の縦框（召合せ框）１３，１４と、障子１０Ｃの縦框（召合せ框）１３とが同一断面を有した共通部材から構成されている。また、各障子１０Ａ，１０Ｂ，１０Ｃにおいて、上框１１および下框１２は、それぞれ同一断面を有した共通部材から構成されている。ここで、図２、３における右側の障子１０Ａ，１０Ｂを連動開閉可能に構成する場合、つまり左右勝手違いの浴室出入口用建具１を構成する場合には、３枚の障子１０Ａ，１０Ｂ，１０Ｃを反転させて障子１０Ａと障子１０Ｃの位置を入れ替える。この際、入れ替えられた障子１０Ａの上辺部は、摺動部材１６，１７のサブローラー１６Ｂ，１７Ｂおよび上框１１の当接部材１９によって浴室側に付勢されるようになっている。
【００２４】
このような本実施形態によれば、以下のような効果がある。
（１）すなわち、障子１０Ｂにおける縦框（召合せ框）１３の摺動部材１８にローラー１８Ｄが設けられ、このローラー１８Ｄが障子１０Ａの上辺部と上枠３の上レール３Ｂとに当接して転動することで、２枚の障子１０Ａ，１０Ｂが連動して開閉移動されるので、簡単な構造で連動機構２０を構成することができ、部品点数を削減して製造コストを低減することができる。
【００２５】
（２）さらに、ローラー１８Ｄを摺動部材１８に設けたことで、障子１０Ｂの上框１１を特殊な構造にしたり、特殊な加工を施したりする必要がなく、障子１０Ａ，１０Ｃと、框材１１，１２，１３の部品を共通化することができ、低コスト化をより一層促進させることができる。また、ローラー１８Ｄが予め摺動部材１８と一体になっているため、ローラー１８Ｄの取り付けに際し、摺動部材１８や上レール３Ｂとの位置関係を微調整する必要がなくなり、施工不良がなく安定した連動動作が可能になる。また、メンテナンスに際しても、摺動部材１８を取り替えるだけでよいので、容易に実施できる。
【００２６】
（３）また、障子１０Ｂにおける縦框（召合せ框）１３の見込み面よりも外側にローラー１８Ｄが位置されているので、上框１１の位置を下げて障子１０Ｂの高さ寸法を障子１０Ａ，１０Ｃよりも低くしたり、縦框１３の上端を切断したりすることなくローラー１８Ｄが配置可能となり、３枚の障子１０Ａ，１０Ｂ，１０Ｃの高さ寸法を同一にすることができ、障子１０自体を共通化することができる。
【００２７】
（４）さらに、ガタが全くなく見込み方向にずれることのない上レール３Ｂにローラー１８Ｄが当接して転動することで、ローラー１８Ｄと上レール３Ｂおよび障子１０Ａの上辺部とのずれ量を小さくすることができる。さらに、上レール３Ｂを挟む被案内部１８Ａを備えた摺動部材１８にローラー１８Ｄを設けたことで、見込み方向のずれ量をより一層小さくすることができる。従って、ローラー１８Ｄを上レール３Ｂおよび障子１０Ａの上辺部に確実に当接させることができ、２枚の障子１０Ａ，１０Ｂを円滑に連動させて良好な操作性を確保することができる。
【００２８】
（５）また、摺動部材１６，１７のサブローラー１６Ｂ，１７Ｂおよび上框１１の当接部材１９からなる押圧手段によって、障子１０Ａの上辺部が障子１０Ｂのローラー１８Ｄに向かって押圧されるので、ローラー１８Ｄと障子１０Ａの上辺部との当接状態を良好に維持することができ、２枚の障子１０Ａ，１０Ｂをより円滑に連動させることができる。
【００２９】
（６）さらに、ローラー１８Ｄの転動面が弾性材料で形成されているので、このローラー１８Ｄの転動面を上レール３Ｂおよび障子１０Ａの上辺部に押圧して若干変形させた状態で当接させることで、より一層確実に当接状態を維持することができる。そして、上レール３Ｂおよび障子１０Ａの上辺部に摩擦係数の大きな被当接部材を取り付ければ、ローラー１８Ｄと被当接部材との滑りが防止でき、障子１０Ａ，１０Ｂの開閉操作がより円滑にできる。
【００３０】
〔第２実施形態〕
次に、本発明の第２実施形態に係る浴室出入口用建具における連動機構２０Ａについて、図１２に基づいて説明する。
図１２は、浴室出入口用建具１の上部を拡大して示す横断面図である。
第２実施形態における連動機構２０Ａは、転動部材、障子１０Ａの上辺部、および上レール３Ｂの構成が前記第１実施形態と相違するもので、その他の構成は、第１実施形態と略同様である。すなわち、本実施形態では、転動部材としてのローラー１８Ｄに替えて周面に歯形を有した歯車（ピニオン）１８Ｅが摺動部材１８に軸支されている。そして、障子１０Ａの上辺部の脱衣室側側面、および上レール３Ｂの浴室側側面には、歯車１８Ｅと噛み合う凹凸（歯形）を有した噛合部材（ラック）２１，２２が取り付けられている。これらの噛合部材２１，２２は、片側に接着面を有したテープ状の部材に歯形を形成したもので、障子１０Ａの上辺部および上レール３Ｂに接着固定されている。
【００３１】
このような連動機構２０Ａによれば、障子１０Ａの開閉操作に伴い障子１０Ａの上辺部の噛合部材２１に噛み合った歯車１８Ｅが回転し、この回転した歯車１８Ｅが上レール３Ｂの噛合部材２２に沿って転動することで、障子１０Ｂが障子１０Ａに連動して開閉移動するようになっている。
そして、歯車１８Ｅと噛合部材２１，２２とが噛み合うことで、これらの滑りを防止して障子１０Ａ，１０Ｂの開閉操作がより円滑にでき、操作性を向上させることが可能である。
また、噛合部材２１，２２が障子１０Ａの上辺部および上枠３の上レール３Ｂに取り付けられるので、障子１０Ａの框材１１，１３，１４や上枠３自体に凹凸加工を施す必要がなく、部品の共通化を図ることができるとともに、勝手違いの建具においても噛合部材２１，２２の取付位置を変更するだけで容易に対応することが可能である。
【００３２】
〔第３実施形態〕
次に、本発明の第３実施形態に係る浴室出入口用建具１Ａについて、図１３に基づいて説明する。
図１３は、浴室出入口用建具１Ａの上部を拡大して示す縦断面図である。
第３実施形態の浴室出入口用建具１Ａは、前記第１実施形態の建具が障子１０の下框１２に設けられた戸車１２Ａが下枠４の下レール４Ｃに支持された下支持形式であったのに対し、上吊り形式の建具である点が相違するもので、その他の構成は、第１実施形態と略同様である。すなわち、浴室出入口用建具１Ａでは、上枠３の上レール３Ａ，３Ｂ，３Ｃにおける浴室側側面に浴室側に突出した吊下げ支持部３Ｄが形成されている。そして、障子１０の上框１１には、戸車１１Ａが設けられ、この戸車１１Ａが吊下げ支持部３Ｄに支持されている。このような浴室出入口用建具１Ａによれば、下枠４の上面から上方に突出したレールを省略することが可能となり、下枠上面をフラットに形成することができる。
【００３３】
なお、本発明は、前記各実施形態に限定されるものではなく、本発明の目的を達成できる他の構成等を含み、以下に示すような変形等も本発明に含まれる。
例えば、前記各実施形態においては、浴室出入口用建具について説明したが、本発明の建具はこのような浴室出入口用建具に限られず、玄関に用いてもよく、部屋や収納、倉庫等の出入り口、あるいは窓に本発明の建具を用いてもよい。
また、本発明の建具は三連引き戸に限らず、前記実施形態の固定障子（障子１０Ｃ）に替えて壁体（面状体）や戸袋が設けられていてもよく、この壁体に略重なって２枚の障子が開放されるような構成や、２枚の障子が戸袋に収納されて開放されるような構成が採用可能である。
【００３４】
また、前記各実施形態では、転動部材であるローラー１８Ｄまたは歯車１８Ｅが上レール３Ｂに沿って転動するように構成されていたが、転動部材は上レール３Ｂに限らず、上枠３の上面や、上枠３に上レール３Ｂとは別に形成した突片等に沿って転動するように構成されていてもよい。そして、ローラー１８Ｄや歯車１８Ｅは、鉛直軸回りに回転可能に構成されたものに限らず、水平軸回りに縦回転可能に構成されていてもよく、また傾斜した軸回りに回転可能に構成されていてもよい。さらに、転動部材が当接する第１の障子（障子１０Ａ）の部位としては、上框１１や縦框１３，１４上端部の側面に限らず、第１の障子に設けられた突片等に転動部材が当接するように構成してもよい。
また、前記実施形態において押圧手段を構成するサブローラー１６Ｂ，１７Ｂは、回転可能なローラーに限らず、樹脂製の突片等でもよく、さらに、サブローラー１６Ｂ，１７Ｂや当接部材１９を付勢手段によって付勢するように構成し、所定の付勢力で第１の障子の上框や縦框上端部を転動部材に押圧するようにしてもよい。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３６】
【図１】本発明の第１実施形態に係る建具を示す縦断面図である。
【図２】前記建具の横断面図であり、障子が閉じた状態を示す図である。
【図３】前記建具の横断面図であり、障子が開いた状態を示す図である。
【図４】前記建具の障子を示す斜視図であり、障子が閉じた状態を示す図である。
【図５】前記建具の障子を示す斜視図であり、障子が開いた状態を示す図である。
【図６】前記建具の上部を拡大して示す縦断面図である。
【図７】前記建具の上部を拡大して示す横断面図である。
【図８】(Ａ)，(Ｂ)は、前記障子の縦框に取り付けられる摺動部材を示す斜視図および平面図である。
【図９】(Ａ)，(Ｂ)は、前記障子の縦框に取り付けられる摺動部材を示す斜視図および平面図である。
【図１０】(Ａ)，(Ｂ)は、前記障子の縦框に取り付けられる摺動部材を示す斜視図および平面図である。
【図１１】(Ａ)，(Ｂ)は、前記障子の上框に取り付けられる当接部材を示す側面図である。
【図１２】本発明の第２実施形態に係る建具の上部を拡大して示す横断面図である。
【図１３】本発明の第３実施形態に係る建具の上部を拡大して示す縦断面図である。面図である。
【符号の説明】
【００３７】
２…枠体である建具枠、３…上枠、３Ａ，３Ｂ…案内部である上レール、３Ｄ…吊下げ支持部、４…下枠、４Ｃ…下レール、１０，１０Ａ，１０Ｂ…障子、１１…上框、１１Ａ…戸車、１２…下框、１２Ａ…戸車、１３，１４…縦框、１５…面材、１６，１７，１８…摺動部材、１６Ｂ，１７Ｂ…サブローラー、１８Ｄ…ローラー、１８Ｅ…歯車、１９…当接部材、２１，２２…噛合部材。
【図１】
2007040015.tif 000003
【図２】
2007040015.tif 000004
【図３】
2007040015.tif 000005
【図４】
2007040015.tif 000006
【図５】
2007040015.tif 000007
【図６】
2007040015.tif 000008
【図７】
2007040015.tif 000009
【図８】
2007040015.tif 000010
【図９】
2007040015.tif 000011
【図１０】
2007040015.tif 000012
【図１１】
2007040015.tif 000013
【図１２】
2007040015.tif 000014
【図１３】
2007040015.tif 000015